(57)【要約】【課題】携帯端末において、取付部品が取り付けられる取付用凹部を小さくしながら、取付用凹部の側壁部で取付部品の挿入片が挿入される貫通孔での防水性能を安定させる。【解決手段】アンテナプレート（11）の取付け作業において、同プレート（11）の挿入片（37）を、筐体（9）の側端部にある取付用凹部（19）の側壁部（21）に形成されたプレート挿入孔（27）に挿入したときに、アンテナプレート（11）を、後に固定ねじ（47）でねじ止めされる同プレート（11）のねじ止め部（39）が筐体（9）の側方に向かう程に取付用凹部（19）の底壁部（23）から大きく離間するように傾斜させた姿勢とする部品傾斜手段（13, 49）と、ねじ孔（31）への固定ねじ（47）の挿入動作を、傾斜したアンテナプレート（11）の姿勢が所定の取付け姿勢となる位置で規制する挿入規制手段（55）とを備える。【選択図】図４
2015033050.tif 000002
【特許請求の範囲】
【請求項１】
側端部に取付用凹部が設けられた扁平な筐体と、
前記筐体の取付用凹部に取り付けられた取付部品とを備えた携帯端末であって、
前記取付用凹部は、前記筐体の厚さ方向に延びる側壁部と、該側壁部のうち前記筐体の厚さ方向における一端部から外方に延びる底壁部とを有し、
前記側壁部には貫通孔が形成される一方、前記底壁部にはねじ孔が形成され、
前記取付部品は、前記側壁部の貫通孔に挿入された挿入片と、前記ねじ孔に対応する挿通孔が形成されたねじ止め部とを有し、前記挿入片の周囲で前記側壁部との間に防水パッキンを挟み込んだ状態で、前記挿通孔を挿通させた固定ねじを前記ねじ孔に挿入することにより前記底壁部にねじ止めされて該底壁部側に押え付けられ、
前記取付部品の取付け作業において前記挿入片を前記貫通孔に挿入したときに、前記取付部品を、後にねじ止めされる前記ねじ止め部が前記筐体の側方に向かう程に前記底壁部から離間するように傾斜させた姿勢とする部品傾斜手段と、
前記ねじ孔への前記固定ねじの挿入動作を、前記部品傾斜手段により傾斜した取付部品の姿勢が所定の取付け姿勢となる位置で規制する挿入規制手段とをさらに備える
ことを特徴とする携帯端末。
【請求項２】
請求項１に記載された携帯端末において、
前記部品傾斜手段は、前記取付部品の挿入片を前記筐体内で当該取付部品を傾斜させる方向に押圧する金属製の板部材と、前記側壁部において前記取付部品と前記挿入片の挿入方向に対向する部分のうち当該側壁部の基端側に当該側壁部の先端側よりも張り出すように設けられた張出部とである
ことを特徴とする携帯端末。
【請求項３】
請求項１又は２に記載された携帯端末において、
前記固定ねじは、段付きねじであり、ねじ山が形成された小径の第１軸部と該第１軸部よりも当該固定ねじの頭部側に位置する大径の第２軸部とを有し、
前記挿入規制手段は、前記固定ねじの第２軸部であって、前記第１軸部側の端面が前記底壁部の表面に当接することで前記固定ねじの挿入動作を規制する
ことを特徴とする携帯端末。
【請求項４】
請求項１〜３のいずれか１項に記載された携帯端末において、
前記底壁部のうち前記ねじ孔の周縁部分には、前記固定ねじの頭部を支持する支持突片が突出し、
前記挿入規制手段は、前記支持突片であって、突出端が前記固定ねじの頭部裏面に当接することで前記固定ねじの挿入動作を規制する
ことを特徴とする携帯端末。
【請求項５】
請求項１〜４のいずれか１項に記載された携帯端末において、
前記取付部品と前記底壁部との間には、前記固定ねじが挿通された状態でＯリングが挟み込まれている
ことを特徴とする携帯端末。
【発明の詳細な説明】
【技術分野】
【０００１】
本発明は、防水構造を有する携帯端末に関する。
【背景技術】
【０００２】
従来から、扁平な筐体の内部に収容されたロッドアンテナの先端寄りの部分に取付部品として金属製のアンテナプレート（ブラケット）が組み付けられた構造を有する携帯端末が知られている（例えば、特許文献１参照）。
【０００３】
この種の携帯端末において、アンテナプレートは、筐体の側端部に設けられた取付用凹部に取り付けられている。取付用凹部のうち筐体の厚さ方向に延びる側壁部には、貫通孔が形成されている。アンテナプレートは、この貫通孔を通して筐体内に挿入された挿入片を有する。アンテナプレートのうち挿入片の両側に位置する部分は、筐体の側壁部にねじ止めされている。そして、取付用凹部の側壁部における貫通孔の周縁部分とアンテナプレートとの間には、挿入片が挿入される貫通孔から筐体内へ水分が進入するのを防止すべく、Ｏリング形状の防水パッキンが挟み込まれている（例えば、特許文献２参照）。
【先行技術文献】
【特許文献】
【０００４】
【特許文献１】特開２０１２−１７５４８５号公報
【特許文献２】特開２０１２−２２２７３４号公報
【発明の概要】
【発明が解決しようとする課題】
【０００５】
上述した従来の携帯端末では、アンテナプレートが取付用凹部の側壁部にねじ止めされているため、当該側壁部に、挿入片を挿入する貫通孔とは別にアンテナプレートのねじ止め場所を確保する必要がある。このことから、取付用凹部の側壁部には比較的大きな面積が要求されるため、取付用凹部を大きくせざるを得ず、その分だけ筐体が大型化してしまう。
【０００６】
そこで、取付用凹部を小さくするために、アンテナプレートを取付用凹部のうち側壁部の一端部から外方に延びる底壁部にねじ止めすることが考えられる。しかし、そうした場合、ねじ締めによるアンテナプレートの変形やねじ締めトルクのばらつき、アンテナプレート及び筐体の寸法ばらつきにより、アンテナプレートの挿入片と取付用凹部の側壁部とのなす角度が安定せず、アンテナプレートと取付用凹部の側壁部との挟み込みによる防水パッキンの変形量（つぶし量）がばらつきやすい。このため、当該挿入片が挿入される貫通孔での防水パッキンによる防水性能が低下するおそれがある。
【０００７】
本発明は、斯かる点に鑑みてなされたものであり、その目的とするところは、アンテナプレート等の取付部品が取り付けられる取付用凹部を小さくしながら、取付用凹部の側壁部において取付部品の挿入片が挿入される貫通孔での防水性能を安定させることにある。
【課題を解決するための手段】
【０００８】
上記の目的を達成するために、この発明では、取付用凹部に対する取付部品の取付け構造を工夫した。
【０００９】
具体的には、本発明は、側端部に取付用凹部が設けられた扁平な筐体と、この筐体の取付用凹部に取り付けられた取付部品とを備える携帯端末を対象とし、以下の解決手段を講じたものである。
【００１０】
すなわち、本発明は、取付用凹部が、筐体の厚さ方向に延びる側壁部と、この側壁部のうち筐体の厚さ方向における一端部から外方に延びる底壁部とを有する構成になっている。側壁部には貫通孔が形成される一方、底壁部にはねじ孔が形成されている。取付部品は、側壁部の貫通孔に挿入された挿入片と、底壁部のねじ孔に対応する挿通孔が形成されたねじ止め部とを有する。この取付部品は、挿入片の周囲で側壁部との間に防水パッキンを挟み込んだ状態で、挿通孔を挿通させた固定ねじを底壁部のねじ孔に挿入することにより、底壁部にねじ止めされて底壁部側に押え付けられている。
【００１１】
そして、本発明は、取付部品の取付け作業において挿入片を側壁部の貫通孔に挿入したときに、取付部品を、後にねじ止めされるねじ止め部が筐体の側方に向かう程に底壁部から離間するように傾斜させた姿勢とする部品傾斜手段と、ねじ孔への固定ねじの挿入動作を、部品傾斜手段により傾斜した取付部品の姿勢が所定の取付け姿勢となる位置で規制する挿入規制手段とをさらに備えることを特徴とする。
【００１２】
この構成によると、取付用凹部の側壁部に取付部品をねじ止めする場所を確保する必要がないので、当該側壁部の面積が小さくて済む。また、取付部品は、側壁部の貫通孔に挿入片を挿入したときに傾斜した姿勢となり、この傾斜した姿勢において筐体の側方に向かう程に底壁部から離間したねじ止め部を固定ねじで底壁部にねじ止めすることによって、取付用凹部に取り付けられる。このとき、取付部品は、底壁部のねじ孔への固定ねじの挿入動作に伴ってねじ止め部が底壁部側に押え付けられていくことで、傾斜した姿勢から所定の取付け姿勢に近づいていく。そして、取付部品が所定の取付け姿勢となる位置で固定ねじの挿入動作が挿入規制手段により規制されるので、ねじ締めによる取付部品の変形が抑えられ、ねじ締めトルクのばらつき、取付部品及び筐体の寸法ばらつきがあっても、取付部品が所定の取付け姿勢で取付用凹部に取り付けられる。これにより、取付部品の挿入片と取付用凹部の側壁部とのなす角度が安定して、側壁部のうち貫通孔の周縁部分と取付部品との間に挟み込まれた防水パッキンの変形量のばらつきが抑制される。
【発明の効果】
【００１３】
本発明によれば、取付部品が取り付けられる取付用凹部を小さくしながら、取付用凹部の側壁部において取付部品の挿入片が挿入される貫通孔での防水性能を安定させることができる。
【図面の簡単な説明】
【００１４】
【図１】図１（ａ）は、本発明の実施形態１に係る携帯電話機を正面側から見た斜視図である。図１（ｂ）は、本発明の実施形態１に係る携帯電話機を背面側から見た斜視図である。
【図２】図２は、本発明の実施形態１に係る携帯電話機のリヤカバー、背面側キャビネット及びキャップ部材を外した状態でのアンテナプレートの取付け部分及びその周辺を拡大して示す背面図である。
【図３】図３は、携帯電話機からアンテナプレートを分離した分解斜視図である。
【図４】図４は、図２のIV−IV線における断面図である。
【図５】図５は、アンテナプレートの取付け過程を示す図４対応図である。
【図６】図６は、本発明の実施形態１の変形例に係る携帯電話機の図４相当図である。
【図７】図７は、本発明の実施形態２に係る携帯電話機の図４相当図である。
【図８】図８は、本発明の実施形態２の変形例に係る携帯電話機の図４相当図である。
【図９】図９は、本発明の実施形態３に係る携帯電話機の図４相当図である。
【図１０】図１０は、本発明の実施形態３の変形例に係る携帯電話機の図４相当図である。
【発明を実施するための形態】
【００１５】
以下、本発明に係る実施形態を図面に基づいて詳細に説明する。なお、以下の各実施形態は、本質的に好ましい例示であって、本発明、その適用物、或いはその用途の範囲を制限することを意図するものではない。
【００１６】
なお、本明細書では、説明の便宜上、携帯電話機の表示画面の法線方向における正面側を「正面側」、同方向における背面側を「背面側」と称し、携帯電話機の上下方向における上側を「上」、同方向における下側を「下」と称し、携帯電話機を正面側から見たときの左右方向における左側を「左」、同方向における右側を「右」と称する。
【００１７】
《発明の実施形態１》
図１（ａ）は、この実施形態１に係る携帯電話機１を正面側から見た斜視図である。図１（ｂ）は、この携帯電話機１を背面側から見た斜視図である。携帯電話機１は、図１（ａ），（ｂ）に示すように、ストレートタイプのスマートフォンと呼ばれる携帯端末であり、タッチパネル付きの表示部３やカメラ、バッテリ、メインボード５、ロッドアンテナ７、カードコネクタ、スピーカなどの複数の部品を、正面視で略長方形状の扁平な筐体９に収容した構造を有する。
【００１８】
筐体９は、例えば、正面側に表示画面３ａが向くように表示部３を収容する正面側キャビネット９ａと、この正面側キャビネット９ａの背面側に結合された背面側キャビネット（不図示）と、この背面側キャビネットの背面を覆うリヤカバー９ｂとで構成されている。正面側キャビネット９ａの背面側には、例えばＴＶアンテナである伸縮式のロッドアンテナ７、このロッドアンテナ７の先端寄りの部分に組み付けられた取付部品としての金属製のアンテナプレート１１、メインボード５、及びこれらアンテナプレート１１とメインボード５とを接続する金属製の給電板部材１３が収容されている。
【００１９】
図２は、携帯電話機１のリヤカバー９ｂ、背面側キャビネット及びキャップ部材１７を外した状態でのアンテナプレート１１の取付け部分及びその周辺を拡大して示す背面図である。図３は、携帯電話機１からアンテナプレート１１を分離した分解斜視図である。図４は、図２のIV−IV線における断面図である。
【００２０】
ロッドアンテナ７は、図１（ｂ）及び図２に示すように、正面側キャビネット９ａのうち筐体９の右側端部に設けられた上下方向に延びるアンテナ収容部１５に収容されている。ロッドアンテナ７のうち上側に位置する先端部には、キャップ部材１７が取り付けられている。筐体９の側端部のうち右上の隅部分には、アンテナプレート１１が取り付けられた取付用凹部１９が設けられている。この取付用凹部１９は、携帯電話機１の背面側、右側方及び上側方に開放されている。キャップ部材１７は、図１（ｂ）に示すように、ロッドアンテナ７の縮小状態において、この取付用凹部１９に収容され、外表面が筐体９の表面と略面一となる。それにより、携帯電話機１は、取付用凹部１９が設けられた箇所で滑らかな外観形状を呈するようになっている。
【００２１】
取付用凹部１９は、図２及び図３に示すように、筐体９の厚さ方向に延びる側壁部２１と、この側壁部２１のうち筐体９の厚さ方向における正面側の端部から外方に延びる底壁部２３とを有している。側壁部２１は、上下方向に延びる第１側壁部２１ａと、左右方向に延びる第２側壁部２１ｂとからなる。第２側壁部２１ｂの右側寄りの部分には、ロッドアンテナ７と共にアンテナプレート１１の一部をアンテナ収容部１５に挿入するためのアンテナ挿入孔２５が形成されている。また、第２側壁部２１ｂの左側寄りの部分には、アンテナプレート１１の一部を筐体９内のうちメインボード５が収容された空間に挿入するためのプレート挿入孔２７が形成されている。これらアンテナ挿入孔２５及びプレート挿入孔２７は、筐体９の内外を貫通する貫通孔である。
【００２２】
プレート挿入孔２７の筐体９内方の端部は、図４に示すように、当該プレート挿入穴２７の他の部分に比べて小径に形成されている。すなわち、プレート挿入孔２７うち、筐体９内方の端部は小径部２７ａを構成し、取付用凹部１９側のその他の部分は大径部２７ｂを構成している。そのことで、第２側壁部２１ｂにおいてプレート挿入孔２７の内部には、円環状の底面部２９が形成されている。他方、取付用凹部１９の底壁部２３のうちこのプレート挿入孔２７の取付用凹部１９側の開口に対応する箇所、つまりプレート挿入孔２７の上方に位置する箇所には、アンテナプレート１１取付用のねじ孔３１が形成されている。このねじ孔３１は、正面側キャビネット９ａを筐体９の厚さ方向（図４で上下方向）に貫通している。
【００２３】
この取付用凹部１９に取り付けられるアンテナプレート１１は、図３及び図４に示すように、第２側壁部２１ｂの略全体に対向する板状のベース部３３と、このベース部３３から下側に突出したアンテナ保持部３５及び挿入片３７と、ベース部３３から取付用凹部１９の底壁部２３に沿って延びるように上側に突出した板状のねじ止め部３９とを有している。アンテナ保持部３５は、ベース部３３の右側部分に筒状に設けられて、第２側壁部２１ｂのアンテナ挿入孔２５に挿入されている。アンテナプレート１１は、このアンテナ保持部３５にロッドアンテナ７が挿通されることで当該アンテナ７の先端寄りの部分に組み付けられている。
【００２４】
アンテナプレート１１の挿入片３７は、プレート挿入孔２７の大径部２７ｂよりも若干小径の突出基部４１と、この突出基部４１から突出してプレート挿入孔２７の小径部２７ａよりも若干小径の接続部４３とを有している。この挿入片３７は、ベース部３３の左側部分に設けられ、接続部４３をＯリング形状の防水パッキン４５に挿通させた状態で、第２側壁部２１ｂのプレート挿入孔２７に挿入されている。挿入片３７の突出基部４１のうち接続部４３側に臨む端面４１ａは、防水パッキン４５を介してプレート挿入孔２７内の底面部２９と対向している。防水パッキン４５は、シリコーンゴムなどのゴムからなり、アンテナプレート１１の接続部４３の外周面とプレート挿入孔２７の大径部２７ｂの内周面との間に挟み込まれて、これら接続部４３の外周面及び大径部２７ｂの内周面に密着するように圧縮変形された状態で保持されている。そのことで、挿入片３７が挿入されたプレート挿入孔２７から筐体９内への水の進入が防止されている。
【００２５】
アンテナプレート１１のねじ止め部３９は、ベース部３３のうち挿入片３７の上側に対応する部分、つまりベース部３３の左側部分に設けられている。このねじ止め部３９のうち底壁部２３のねじ孔３１に対応する箇所には、挿通孔４６が形成されている。ねじ止め部３９は、この挿通孔４６を挿通させた固定ねじ４７を底壁部２３のねじ孔３１に挿入することにより、底壁部２３にねじ止めされて底壁部２３側に押え付けられている。このように、アンテナプレート１１は、挿入片３７の接続部４３の周囲でプレート挿入孔２７の大径部２７ｂの内周面との間に防水パッキン４５を挟み込んだ状態で、取付用凹部１９の底壁部２３にねじ止めされている。これによって、取付用凹部１９の第２側壁部２１ｂにアンテナプレート１１をねじ止めする場所を確保せずに済む。
【００２６】
アンテナプレート１１の接続部４３の先端側部分には、同部分の背面側の一部を挿入片３７の突出方向と平行に切り欠いたような平坦な接触面４３ａが形成されている。挿入片３７のうち接触面４３ａが形成された部分は、プレート挿入孔２７を介して筐体９内に挿入されている。この挿入片３７の接触面４３ａには、給電板部材１３の上端部分１３ａが接触している。給電板部材１３の上端部分１３ａは、図４に示すように、挿入片３７の先端面に対応する箇所を正面側から背面側に延び、その背面側の端部から上方（図４で左方）に向かって湾曲しながら背面側（図４で上側）に凸面をなすように正面側（図４で下側）に延びた後に、背面側に折り返した形状を有し、その折返し部分が挿入片３７の接触面４３ａと弾性的に加圧接触することで、アンテナプレート１１に接続されると共に挿入片３７を正面側に押圧している。また、給電板部材１３の下端部分１３ｂは、メインボード５と接続されている。
【００２７】
プレート挿入孔２７内の底面部２９のうち第２側壁部２１ｂの基端側、つまり正面側キャビネット９ａの正面側に位置する部分には、当該底面部２９のうち第２側壁部２１ｂの先端側、つまり正面側キャビネット９ａの背面側に位置する部分と比べて筐体９の上側方に張り出すように張出部４９が設けられている。この張出部４９と上記給電板部材１３とは、アンテナプレート１１の取付け作業において挿入片３７をプレート挿入孔２７に挿入したときに、アンテナプレート１１を、挿入片３７が筐体９内方に向かって正面側キャビネット９ａの背面に接近し、後にねじ止めされるねじ止め部３９が筐体９の上側方に向かう程に底壁部２３から離間するように傾斜させた姿勢とする部品傾斜手段である。
【００２８】
アンテナプレート１１をねじ止めする固定ねじ４７は、段付きねじであり、ねじ山が形成された小径の第１軸部５１と、この第１軸部５１よりも頭部５３側に位置する大径の第２軸部５５とを有している。アンテナプレート１１のねじ止め部３９に形成された挿通孔４６は、固定ねじ４７の第２軸部５５の外径よりも若干大きな径に形成されている。固定ねじ４７の第２軸部５５はこの挿通孔４６に挿通されて、当該第２軸部５５のうち第１軸部５１側の端面５５ａが底壁部２３におけるねじ孔３１の周縁部分の表面に当接している。この第２軸部５５は、底壁部２３のねじ孔３１への固定ねじ４７の挿入動作を、給電板部材１３での押圧及び張出部４９により傾斜したアンテナプレート１１の姿勢が所定の取付け姿勢となる位置で規制する挿入規制手段である。本実施形態において、アンテナプレート１１の所定の取付け姿勢とは、挿入片３７の接触面４３ａが筐体９の厚さ方向と直交する姿勢である。
【００２９】
図５は、アンテナプレート１１の取付け過程を示す図４対応図である。アンテナプレート１１を取付用凹部１９に取り付けるには、まず、図５に示すように、第２側壁部２１ｂのアンテナ挿入孔２５にアンテナ保持部３５を、プレート挿入孔２７に挿入片３７をそれぞれ挿入する。このとき、挿入片３７における突出基部４１の端面４１ａのうち正面側の部分が防水パッキン４５を介して張出部４９に押されると共に、挿入片３７が給電板部材１３の上端部分１３ａで正面側に押圧されることで、アンテナプレート１１は、挿入片３７が筐体９内方に向かって正面側キャビネット９ａの背面に接近し、ねじ止め部３９が筐体９の上側方に向かう程に底壁部２３から離間するように傾斜した姿勢となる。
【００３０】
その後、固定ねじ４７をねじ止め部３９の挿通孔４６に挿通させて底壁部２３のねじ孔３１に螺合させながら挿入することで、図４に示すようにアンテナプレート１１が取付用凹部１９に取り付けられる。このとき、アンテナプレート１１は、底壁部２３のねじ孔３１への固定ねじ４７の挿入動作に伴ってねじ止め部３９が底壁部２３側に押え付けられていくことで、傾斜した姿勢から所定の取付け姿勢に近づいていく。そして、アンテナプレート１１が所定の取付け姿勢となる位置で固定ねじ４７の第２軸部５５が底壁部２３におけるねじ孔３１の周縁部分に当接することにより固定ねじ４７の挿入動作が規制されるので、ねじ締めによるアンテナプレート１１の変形が抑えられ、ねじ締めトルクのばらつき、アンテナプレート１１及び筐体９の寸法ばらつきがあっても、アンテナプレート１１が所定の取付け姿勢で取付用凹部１９に取り付けられる。これにより、アンテナプレート１１の挿入片３７と取付用凹部１９の第２側壁部２１ｂとのなす角度が安定して、防水パッキン４５の変形量のばらつきが抑制される。
【００３１】
したがって、この実施形態１によると、アンテナプレート１１を取り付ける取付用凹部１９を小さくしながら、取付用凹部１９の第２側壁部２１ｂにおいてアンテナプレート１１の挿入片３７が挿入されるプレート挿入孔２７での防水性能を安定させることができる。
【００３２】
−実施形態１の変形例−
図６は、この変形例に係る携帯電話機１の図４相当図である。この変形例では、図６に示すように、アンテナプレート１１のねじ止め部３９における挿通孔４６の周縁部分と取付用凹部１９の底壁部２３との間に、固定ねじ４７を挿通させて当該固定ねじ４７の第２軸部５５の周囲に配置された軟質な樹脂製又はゴム製のＯリング６１が挟み込まれている。このような構成によると、アンテナプレート１１の取付け姿勢の安定性を高めることができる。
【００３３】
《発明の実施形態２》
この実施形態２に係る携帯電話機１は、挿入規制手段が固定ねじ４７の第２軸部５５に代えて取付用凹部１９の底壁部２３に設けられた支持突片６３である点で上記実施形態１と異なる。なお、以降の各実施形態では、挿入規制手段が上記実施形態１と異なる他は携帯電話機１について上記実施形態１と同様に構成されているので、構成の異なる挿入規制手段についてのみ説明し、同一の構成箇所は図１〜図４に基づく上記実施形態１の説明に譲ることにして、その詳細な説明を省略する。
【００３４】
図７は、この実施形態２に係る携帯電話機１の図４相当図である。本実施形態では、図７に示すように、取付用凹部１９の底壁部２３のうちねじ孔３１の周縁部分に、背面側に突出する円環状の支持突片６３が設けられている。アンテナプレート１１のねじ止め部３９に形成された挿通孔４６の径は、この支持突片６３の外径よりも若干大きい。そして、支持突片６３は、ねじ止め部３９の挿通孔４６に挿入されて、アンテナプレート１１が所定の取付け姿勢となる位置で当該支持突片６３の突出端が固定ねじ４７の頭部５３裏面に当接することにより、固定ねじ４７の挿入動作を規制するようになっている。
【００３５】
この実施形態２によっても、上記実施形態１と同様な効果を得ることができる。
【００３６】
−実施形態２の変形例−
図８は、この変形例に係る携帯電話機１の図４相当図である。この変形例では、図８に示すように、アンテナプレート１１のねじ止め部３９における挿通孔４６の周縁部分と取付用凹部１９の底壁部２３との間に、支持突片６３に挿通されてその支持突片６３の周囲に配置された軟質な樹脂製又はゴム製のＯリング６１が挟み込まれている。このような構成によると、上記実施形態２の携帯電話機１でのアンテナプレート１１の取付け姿勢の安定性を高めることができる。
【００３７】
《発明の実施形態３》
この実施形態３に係る携帯電話機１は、挿入規制手段が固定ねじ４７の第２軸部５５に代えて取付用凹部１９の底壁部２３のねじ孔３１に設けられた底面部６５である点で上記実施形態１と異なる。図９は、この実施形態３に係る携帯電話機１の図４相当図である。本実施形態では、図９に示すように、底壁部２３に形成されたねじ孔３１が正面側キャビネット９ａを貫通せず、このねじ孔３１の正面側に位置する端部に底面部６５が設けられている。この底面部６５は、アンテナプレート１１が所定の取付け姿勢となる位置でねじ孔３１に挿入された固定ねじ４７の軸部５１先端面に当接することにより、固定ねじ４７の挿入動作を規制するようになっている。
【００３８】
この実施形態３によっても、上記実施形態１と同様な効果を得ることができる。
【００３９】
−実施形態３の変形例−
図１０は、この変形例に係る携帯電話機１の図４相当図である。この変形例では、図１０に示すように、アンテナプレート１１のねじ止め部３９における挿通孔４６の周縁部分と取付用凹部１９の底壁部２３におけるねじ孔３１の周縁部分との間に、軟質な樹脂製又はゴム製のＯリング６１が挟み込まれている。このような構成によると、上記実施形態３の携帯電話機１においてアンテナプレート１１の取付け姿勢の安定性を高めることができる。
【００４０】
なお、上記実施形態１〜３では、プレート挿入孔２７内の底面部２９に設けられた張出部４９と給電板部材１３とが部品傾斜手段であるとしたが、これに限らず、部品傾斜手段は、上記張出部４９だけであってもよく、上記給電板部材１３だけであってもよい。また、部品傾斜手段は、アンテナプレート１１の取付け作業において挿入片３７をプレート挿入孔２７に挿入したときに、アンテナプレート１１を、後にねじ止めされるねじ止め部３９が筐体９の上側方に向かう程に取付用凹部１９の底壁部２３から離間するように傾斜させた姿勢とするものであれば、その他の部品や筐体９に設けられた構造であっても構わない。
【００４１】
上記実施形態１では固定ねじ４７の第２軸部５５が挿入規制手段であり、上記実施形態２では取付用凹部１９の底壁部２３に設けられた支持突片６３が挿入規制手段であり、上記実施形態３では取付用凹部１９の底壁部２３に形成されたねじ孔３１の底面部６５が挿入規制手段であるとしたが、これに限らず、挿入規制手段は、底壁部２３のねじ孔３１への固定ねじ４７の挿入動作を、傾斜したアンテナプレート１１の姿勢が所定の取付け姿勢となる位置で規制するものであれば、その他の部品や筐体９に設けられた構造であってもよい。
【００４２】
上記実施形態１では、ロッドアンテナ７は、ＴＶアンテナであるとしたが、これに限らず、ラジオアンテナ、その他の電波送受信用のアンテナであっても構わない。
【００４３】
上記実施形態１〜３では、取付部品としてアンテナプレート１１を筐体９の取付用凹部１９に取り付ける場合の取付け構造を例に挙げて説明したが、本発明はこれに限らず、アンテナプレート１１以外の取付部品、例えば、樹脂成形品の表面に回路パターンを形成したＭＩＤ（Molded Interconnect Device）アンテナと呼ばれる成形回路部品などの取付部品を筐体９の側端部に設けられた取付用凹部に取り付ける場合の取付け構造にも適用することが可能である。
【００４４】
また、上記実施形態１〜３では、本発明に係る携帯端末について、携帯電話機１を例に挙げて説明したが、本発明はこれに限らず、ＰＨＳ（Personal Handy-phone System）、ＰＤＡ（Personal Digital Assistant）、パソコン、モバイルツール、電子辞書、電卓、ゲーム機などにも適用することが可能である。
【符号の説明】
【００４５】
１        携帯電話機（携帯端末）  
９        筐体
１１      アンテナプレート（取付部品）
１３      給電板部材（部品傾斜手段）
１９      取付用凹部
２１      取付用凹部の側壁部
２１ａ    第１側壁部
２１ｂ    第２側壁部
２３      取付用凹部の底壁部
２７      プレート挿入孔（貫通孔）
３１      ねじ孔
３７      挿入片
３９      ねじ止め部
４５      防水パッキン
４６      挿通孔
４７      固定ねじ
４９      張出部（部品傾斜手段）
５１      固定ねじの第１軸部
５３      固定ねじの頭部
５５      固定ねじの第２軸部（挿入規制手段）
６１      Ｏリング
６３      支持突片（挿入規制手段）
６５      ねじ孔の底面部（挿入規制手段）
【図１】
2015033050.tif 000003
【図２】
2015033050.tif 000004
【図３】
2015033050.tif 000005
【図４】
2015033050.tif 000006
【図５】
2015033050.tif 000007
【図６】
2015033050.tif 000008
【図７】
2015033050.tif 000009
【図８】
2015033050.tif 000010
【図９】
2015033050.tif 000011
【図１０】
2015033050.tif 000012